(57)【要約】【課題】使用者が記憶媒体に格納されている音声・サウンドデータ等をパソコン等で編集したり、複数の記憶媒体を用意することによって記憶媒体を差し換えるだけで、容易に出力音声・サウンドを変えることができる音声・サウンド出力装置を提供する。【解決手段】少なくとも１つ以上の電気信号を検知する入力信号処理部と、該入力信号に応じた音声・サウンドデータが予め記憶された記憶媒体を抜き差しするソケット部と記憶媒体からデータを読み取る記憶媒体読取部と、全体の制御と音声・サウンドデータの再生を行う音声再生部と、音声・サウンド信号を増幅するアンプ部とスピーカとから構成され、入力信号処理部に入力された信号に基づいて、音声再生部が記憶媒体から予め設定された音声・サウンドデータを選択して読み取り、スピーカに出力する音声・サウンド出力装置であって、記憶媒体を交換することによって、出力する音声・サウンドを変えることができる。【選択図】図１
2010186102.tif 000002
【特許請求の範囲】
【請求項１】
少なくとも１つ以上の電気信号を検知する入力信号処理部と、該入力信号に応じた音声・サウンドデータが予め記憶された記憶媒体を抜き差しするソケット部と該ソケット部に挿入された前記記憶媒体からデータを読み取る記憶媒体読取部と、全体の制御と前記音声・サウンドデータの再生を行う音声再生部と、音声・サウンド信号を増幅するアンプ部とスピーカとから構成され、前記入力信号処理部に入力された信号に基づいて、前記音声再生部が前記記憶媒体から予め設定された音声・サウンドデータを選択して読み取り、前記スピーカに出力する音声・サウンド出力装置であって、前記記憶媒体を交換することによって、出力する音声・サウンドを変えることができることを特徴とする音声・サウンド出力装置。
【請求項２】
前記入力信号処理部に衝撃検知センサーや人感センサー等の防犯センサー出力信号が接続され、各センサーの出力に応じた音声・サウンドが前記スピーカから出力されることを特徴とする請求項１に記載の音声・サウンド出力装置。
【請求項３】
前記音声・サウンド出力装置の前記入力信号処理部に車両の各部の動作信号が接続され、前記各部の動作信号に応じた音声・サウンドが前記スピーカから出力されることを特徴とする請求項１に記載の音声・サウンド出力装置。
【請求項４】
前記入力信号処理部に車両各部の動作信号および衝撃検知センサーや人感センサー等の防犯センサー出力信号とが接続され、各部の動作信号、または、各センサーの出力に応じた音声・サウンドが前記スピーカから出力されることを特徴とする請求項１または請求項２に記載の音声・サウンド出力装置。
【発明の詳細な説明】
【技術分野】
【０００１】
本発明は、音声・サウンドのデータを元に音を出力する音声・サウンド出力装置にかかり、音声・サウンドのデータが自動車等の車両の施錠、開錠、ドアの開閉、エンジンの始動・停止、衝撃検知センサーや人感センサー等の信号が出力されたときに出力される音声・サウンドであって、音声・サウンドのデータを記憶したＳＤカード等の記憶媒体が随時交換することができるものである。音声・サウンドは、音声の他に、動物の鳴き声、音楽、効果音などであってもよい。
【背景技術】
【０００２】
従来、この種の装置としては、固定メッセージが用意されているものや、音声・サウンド等が録音できるものが知られている。
【０００３】
また、環境騒音分析手段から入力された信号により再生するメッセージの再生速度を変更する様にしたメッセージ出力装置が知られている（特許文献１参照）。また、イベントの入力に応じて選択されたメッセージが出力されるものがある（特許文献２参照）。
【特許文献１】特開平５−２０４３８８公報
【特許文献２】特開平４−３６１３９８公報
【発明の開示】
【発明が解決しようとする課題】
【０００４】
しかしながら、上述のメッセージ出力装置のうち、固定メッセージのものであれば、使用者の好みを容易に反映できない。また、音声・サウンド等を録音できるものの場合、マイクをつないだり、装置本体を録音できる環境に移動したりする必要があり、出力される音声・サウンド等を容易に変えることができないという問題があった。
本発明は、このような従来の課題を解決するためになされたもので、使用者が記憶媒体に格納されている音声・サウンドデータ等をパソコン等で編集したり、複数の記憶媒体を用意することによって記憶媒体を差し換えるだけで、容易に出力音声・サウンドを変えることができるものである。また、音楽のような長時間の曲を記憶媒体に記憶させることもでき、使用者の嗜好を容易に反映することができるものである。
【課題を解決するための手段】
【０００５】
本発明の音声・サウンド出力装置は、少なくとも１つ以上の電気信号を検知する入力信号処理部と、該入力信号に応じた音声・サウンドデータが予め記憶された記憶媒体を抜き差しするソケット部と該ソケット部に挿入された記憶媒体からデータを読み取る記憶媒体読取部と、全体の制御と音声・サウンドデータの再生を行う音声再生部と、音声・サウンド信号を増幅するアンプ部とスピーカとから構成され、入力信号処理部に入力された信号に基づいて、音声再生部が記憶媒体から予め設定された音声・サウンドデータを選択して読み取り、スピーカに出力する音声・サウンド出力装置であって、記憶媒体を交換することによって、出力する音声・サウンドを変えることができる。
【０００６】
この構成により、使用者が記憶媒体に格納されている音声・サウンドデータ等をパソコン等で編集したり、複数の記憶媒体を用意することによって記憶媒体を差し換えるだけで、容易に出力音声・サウンドを変えることができるものである。また、音楽のような長時間の曲を記憶媒体に記憶させることもでき、使用者の嗜好を容易に反映することができるものである。
【０００７】
また、本発明の音声・サウンド出力装置は、防犯装置に利用でき、少なくとも１つ以上の電気信号を検知する入力信号処理部と、該入力信号に応じた音声・サウンドデータが予め記憶された記憶媒体を抜き差しするソケット部と該ソケット部に挿入された記憶媒体からデータを読み取る記憶媒体読取部と、全体の制御と音声・サウンドデータの再生を行う音声再生部と、音声・サウンド信号を増幅するアンプ部とスピーカとから構成され、入力信号処理部に入力された信号に基づいて、音声再生部が記憶媒体から予め設定された音声・サウンドデータを選択して読み取り、スピーカに出力する音声・サウンド出力装置であって、記憶媒体を交換することによって、出力する音声・サウンドを変えることができるもので、入力信号処理部に衝撃検知センサーや人感センサー等の防犯センサー出力信号が接続され、各センサーの出力に応じた音声・サウンドがスピーカから出力される。
【０００８】
この構成により、衝撃検知センサーや人感センサー等の防犯センサーの異常検知出力信号に対応した効果的な音声・サウンドを出力することにより、威嚇効果が増し、防犯効果を向上させることができる。
【０００９】
また、本発明の音声・サウンド出力装置を自動車等の車両に搭載することもでき、少なくとも１つ以上の電気信号を検知する入力信号処理部と、該入力信号に応じた音声・サウンドデータが予め記憶された記憶媒体を抜き差しするソケット部と該ソケット部に挿入された記憶媒体からデータを読み取る記憶媒体読取部と、全体の制御と音声・サウンドデータの再生を行う音声再生部と、音声・サウンド信号を増幅するアンプ部とスピーカとから構成され、入力信号処理部に入力された信号に基づいて、音声再生部が記憶媒体から予め設定された音声・サウンドデータを選択して読み取り、スピーカに出力する音声・サウンド出力装置であって、記憶媒体を交換することによって、出力する音声・サウンドを変えることができるもので、音声・サウンド出力装置の入力信号処理部に車両の各部の動作信号が接続され、各部の動作信号に応じた音声・サウンドがスピーカから出力される。
【００１０】
この構成により、予め車両使用者が、車両の施錠、開錠、ドアの開閉、エンジンの始動・停止等の信号が出力されたときに対応して出力する好みの音声・サウンドデータを記憶させた記憶媒体を音声・サウンド出力装置に装着しておくことにより、車両の施錠、開錠、ドアの開閉、エンジンの始動・停止等の信号が出力されたときに、スピーカから所望の音声・サウンドを出力することができる。これにより個性のある車両にすることができる。
【００１１】
また、本発明の音声・サウンド出力装置を自動車等の車両に搭載し、さらに衝撃検知センサーや人感センサー等の防犯センサー出力信号を接続することで、車両の防犯にも利用することもでき、少なくとも１つ以上の電気信号を検知する入力信号処理部と、該入力信号に応じた音声・サウンドデータが予め記憶された記憶媒体を抜き差しするソケット部と該ソケット部に挿入された記憶媒体からデータを読み取る記憶媒体読取部と、全体の制御と音声・サウンドデータの再生を行う音声再生部と、音声・サウンド信号を増幅するアンプ部とスピーカとから構成され、入力信号処理部に入力された信号に基づいて、音声再生部が記憶媒体から予め設定された音声・サウンドデータを選択して読み取り、スピーカに出力する音声・サウンド出力装置であって、記憶媒体を交換することによって、出力する音声・サウンドを変えることができるもので、入力信号処理部に車両各部の動作信号および衝撃検知センサーや人感センサー等の防犯センサー出力信号とが接続され、各部の動作信号、または、各センサーの出力に応じた音声・サウンドがスピーカから出力される。
【００１２】
この構成により、予め車両使用者が、車両の施錠、開錠、ドアの開閉、エンジンの始動・停止や防犯センサーの異常検知信号が出力されたときに対応して出力する好みの音声・サウンドデータを記憶させた記憶媒体を音声・サウンド出力装置に装着しておくことにより、車両の施錠、開錠、ドアの開閉、エンジンの始動・停止等の信号が出力されたときに、スピーカから所望の音声・サウンドを出力することができる。これにより個性のある車両にするとともに、防犯センサーの異常検知出力信号に対応した効果的な音声・サウンドを出力することにより、威嚇効果が増し、防犯効果を向上させることができる。
【発明の効果】
【００１３】
本発明は、使用者が記憶媒体に格納されている音声・サウンドデータ等をパソコン等で編集したり、複数の記憶媒体を用意することによって記憶媒体を差し換えるだけで、容易に出力音声・サウンドを変えることができるものである。また、音楽のような長時間の曲を記憶媒体に記憶させることもでき、使用者の嗜好を容易に反映することができるものである。
【発明を実施するための最良の形態】
【００１４】
以下、本発明の実施の形態について、図面を参照して説明する。
【実施例１】
【００１５】
図１は、本発明の第１の実施の形態に係る音声・サウンド出力装置７の構成図である。本発明の第１の実施の形態に係る音声・サウンド出力装置７は、音声・サウンド等の音声データ、音楽、効果音データ等を記憶したＳＤカード等の記憶媒体１０をセットする記憶媒体用ソケット部１、記憶媒体１０のデータを読み取る記憶媒体読取部３、外部からの電気信号を検知する入力信号処理部４、入力信号処理部４に入力された電気信号をもとに、記憶媒体１０に記憶された音声・サウンドデータを記憶媒体読取部３で読み出し、それらを制御し音声再生する音声再生部２、音声再生部２から出力された音声信号を増幅するアンプ部５と実際に音声・サウンドを出力するスピーカ６で構成される。
【００１６】
なお、本発明に係る音声・サウンド出力装置７には、記憶媒体１０がセットされていないときや記憶媒体１０に記憶されたデータフォーマットが違うときなどに出力する固定メッセージデータを記憶した固定メッセージ記憶部８を設けてもよい。また、本発明に係る音声再生部２は、ＣＰＵ（Central Processing Unit）とプログラムを格納するＲＯＭやプログラムによって使用されるデータを記憶するＲＡＭが内蔵されたマイコンやＤＳＰ（Digital Signal Processor）等を用いることもできる。また、音声などの音のデータはＷＡＶＥ形式やＭＰ３と言ったファイル形式のものを使用し、その再生プレーヤーは広く知られているのでここでの記載は省略する。また、本発明に係る音声・サウンド出力装置７は、スピーカ６を内蔵することもできる。
【００１７】
図２は、本発明の第１の実施の形態に係る音声・サウンド出力装置７の処理の流れを示すフローチャートである。
音声・サウンド出力装置７のＣＰＵのモード設定や使用するメモリの初期化を行う。（ステップＳ１）
最初に記憶媒体１０が、記憶媒体用ソケット部１にセットされているか確認する。記憶媒体１０が、正しくセットされている場合は、ステップＳ３にジャンプする。（ステップＳ２）
【００１８】
ステップＳ２において、記憶媒体１０が、正しくセットされていない場合は、固定メッセージ記憶部８から、記憶媒体が、正しくセットされていない旨のメッセージデータを読み出し出力する。例えば、「カードが正しくセットされていません。」というメッセージをスピーカ６に出力する。（ステップＳ５）
【００１９】
ステップＳ５において、エラーメッセージを出力した後は、記憶媒体１０が、記憶媒体用ソケット部１にセットされるまで待つ。（ステップＳ６）
ステップＳ６において、記憶媒体１０が、正しくセットされた場合は、ステップＳ３にジャンプする。
【００２０】
記憶媒体１０が、正しくセットされている場合は、入力信号処理部４の入力ラインＳＧ１からＳＧ５のいずれかの電気信号が入力されたか確認する。すべての信号入力がない場合は、ステップＳ２にジャンプする。（ステップＳ３）
入力信号処理部４にいずれかの電気信号が入力された場合は、それぞれの信号に応じたメッセージ番号をパラメーターにセットする。（ステップＳ４）
パラメーターにセットされたメッセージ番号をもとに、記憶媒体１０に記憶された音声・サウンドデータを記憶媒体読取部３で読み込む。（ステップＳ７）
音声・サウンドデータが、正しく読み込めた場合は、その音声・サウンドを出力する。（ステップＳ９）
【００２１】
音声・サウンドデータが、正しく読み込めない場合は、固定メッセージ記憶部８から、音声・サウンドデータが、正しく読み込めない旨のメッセージデータを読み出し出力する。例えば、「データフォーマットが違います。」というメッセージを出力する。（ステップＳ１０）
ステップＳ９またはステップＳ１０でメッセージを出力し終えたあと、ステップＳ２にジャンプする。
図２のフローチャートでは、便宜上、音声・サウンドをメッセージと表現した。
【実施例２】
【００２２】
図３は、本発明の第２の実施の形態に係る音声・サウンド出力装置７の構成図である。本発明の第２の実施の形態に係る音声・サウンド出力装置７は、音声・サウンド等の音声データ、音楽、効果音データ等を記憶したＳＤカード等の記憶媒体１０をセットする記憶媒体用ソケット部１、記憶媒体１０のデータを読み取る記憶媒体読取部３、外部からの電気信号を検知する入力信号処理部４、入力信号処理部４に入力された電気信号をもとに、記憶媒体１０に記憶された音声・サウンドデータを記憶媒体読取部３で読み出し、それらを制御し音声再生する音声再生部２、音声再生部２から出力された音声信号を増幅するアンプ部５と実際に音声・サウンドを出力するスピーカ６、衝撃を検知する衝撃検知センサー１１、人が接近したことを検知する人感センサー１２で構成される。
【００２３】
なお、本発明に係る音声・サウンド出力装置７には、記憶媒体１０がセットされていないときや記憶媒体１０に記憶されたデータフォーマットが違うときなどに出力する固定メッセージを記憶した固定メッセージ記憶部８を設けてもよい。また、本発明に係る音声再生部２は、ＣＰＵ（Central Processing Unit）とプログラムを格納するＲＯＭやプログラムによって使用されるデータを記憶するＲＡＭが内蔵されたマイコンやＤＳＰ（Digital Signal Processor）等を用いることもできる。また、音声などの音のデータはＷＡＶＥ形式やＭＰ３と言ったファイル形式のものを使用し、その再生プレーヤーは広く知られているのでここでの記載は省略する。また、本発明に係る音声・サウンド出力装置７は、スピーカ６を内蔵することもできる。
【００２４】
本発明の第２の実施の形態に係る音声・サウンド出力装置７の処理の流れは、図２の本発明の第１の実施の形態に係る音声・サウンド出力装置７の処理の流れを示すフローチャートと同じである。
衝撃検知センサー１１の電気信号が音声・サウンド出力装置７の入力信号処理部４の入力ラインＳＧ４に接続され、人感センサー１２の電気信号が音声・サウンド出力装置７の入力信号処理部４の入力ラインＳＧ５に接続される。
【００２５】
賊が、建物の窓ガラスを割るなどすると、衝撃検知センサー１１がそれを検知し電気信号を出力すると、音声・サウンド出力装置７は、図２のフローチャートのステップＳ９で、メッセージ４を出力するが、メッセージ４の音声データに「警察に通報した。」等の音声データを記憶媒体１０に記憶しておくことで、威嚇効果が増し、防犯効果を向上させることができる。
【００２６】
また、賊が、建物の周りをうろつくと、人感センサー１２がそれを検知し電気信号を出力すると、同様に音声・サウンド出力装置７は、図２のフローチャートのステップＳ９で、メッセージ５を出力するが、メッセージ５の音声データに「それ以上近づくと通報する。」等の音声データを記憶媒体１０に記憶しておくことで、被害を未然に防ぐことができる。
【実施例３】
【００２７】
図４は、本発明の第３の実施の形態に係る音声・サウンド出力装置７を車両に装着したときの構成図である。本発明の第３の実施の形態に係る音声・サウンド出力装置７は、音声・サウンド等の音声データ、音楽、効果音データ等を記憶したＳＤカード等の記憶媒体１０をセットする記憶媒体用ソケット部１、記憶媒体１０のデータを読み取る記憶媒体読取部３、外部からの電気信号を検知する入力信号処理部４、入力信号処理部４に入力された電気信号をもとに、記憶媒体１０に記憶された音声・サウンドデータを記憶媒体読取部３で読み出し、それらを制御し音声再生する音声再生部２、音声再生部２から出力された音声信号を増幅するアンプ部５と実際に音声・サウンドを出力するスピーカ６で構成される。
【００２８】
なお、本発明に係る音声・サウンド出力装置７の電気信号を検知する入力信号処理部４の入力ラインＳＧ１とＳＧ２は、車両の運転席の開錠・施錠を行うアクチュエーター（ドアロックモーター）２０の両端に接続される。施錠したときにＳＧ１が＋１２Ｖになる。また、開錠したときにＳＧ２が＋１２Ｖになる。同様にＳＧ３は、ドアの開閉検知スイッチ２１に接続され、ＳＧ３の電気信号を読み取ることで、ドアの開閉状態がわかる。同様にＳＧ４は、車両のトランクの開閉検知スイッチ２２に接続され、ＳＧ４の電気信号を読み取ることで、トランクの開閉状態がわかる。
【００２９】
なお、本発明に係る音声・サウンド出力装置７には、記憶媒体１０がセットされていないときや記憶媒体１０に記憶されたデータフォーマットが違うときなどに出力する固定メッセージデータを記憶した固定メッセージ記憶部８を設けてもよい。また、本発明に係る音声再生部２は、ＣＰＵ（Central Processing Unit）とプログラムを格納するＲＯＭやプログラムによって使用されるデータを記憶するＲＡＭが内蔵されたマイコンやＤＳＰ（Digital Signal Processor）等を用いることもできる。また、音声などの音のデータはＷＡＶＥ形式やＭＰ３と言ったファイル形式のものを使用し、その再生プレーヤーは広く知られているのでここでの記載は省略する。また、本発明に係る音声・サウンド出力装置７は、スピーカ６を内蔵することもできる。
【００３０】
本発明の第３の実施の形態に係る音声・サウンド出力装置７の処理の流れは、図２の本発明の第１の実施の形態に係る音声・サウンド出力装置７の処理の流れを示すフローチャートと同じである。
車両のアクチュエーター２０に接続されたＳＧ１に電気信号が入力されたとき、車両が施錠されたと判断し、音声・サウンド出力装置７は、図２のフローチャートのステップＳ９で、メッセージ１を出力するが、メッセージ１の音声データに「ロックしました。」等の音声データを記憶媒体１０に記憶しておくことで、車両使用者は車両を目視確認しなくても確実に車両をロックしたと認識できる。
【００３１】
同様に車両のアクチュエーター２０に接続されたＳＧ２に電気信号が入力されたとき、車両が開錠されたと判断し、音声・サウンド出力装置７は、図２のフローチャートのステップＳ９で、メッセージ２を出力するが、メッセージ２の音声データに「アンロックしました。」等の音声データを記憶媒体１０に記憶しておくことで、車両使用者は、車両に付属する開錠・施錠リモコンを間違って開錠操作をした場合、操作ミスに気づくことができる。
【００３２】
また、車両のドア開閉信号に接続されたＳＧ３に電気信号が入力されたとき、車両のドアが開かれたと判断し、音声・サウンド出力装置７は、図２のフローチャートのステップＳ９で、メッセージ３を出力するが、メッセージ３の音声データに「ドアが開きました。」等の音声データを記憶媒体１０に記憶しておくことで、個性のある車両にすることができる。
【００３３】
また、車両のトランク開閉信号に接続されたＳＧ４に電気信号が入力されたとき、車両のトランクが開かれたと判断し、音声・サウンド出力装置７は、図２のフローチャートのステップＳ９で、メッセージ４を出力するが、メッセージ４の音声データに「トランクが開けられました。」等の音声データを記憶媒体１０に記憶しておくことで、個性のある車両にすることができる。
なお、本発明の第３の実施の形態に係る音声・サウンド出力装置７では、ＳＧ５は使用していないが、車両のその他の動作信号に接続してもよい。
【実施例４】
【００３４】
図５は、本発明の第４の実施の形態に係る音声・サウンド出力装置７を車両に装着したときの構成図である。本発明の第４の実施の形態に係る音声・サウンド出力装置７は、音声・サウンド等の音声データ、音楽、効果音データ等を記憶したＳＤカード等の記憶媒体１０をセットする記憶媒体用ソケット部１、記憶媒体１０のデータを読み取る記憶媒体読取部３、外部からの電気信号を検知する入力信号処理部４、入力信号処理部４に入力された電気信号をもとに、記憶媒体１０に記憶された音声・サウンドデータを記憶媒体読取部３で読み出し、それらを制御し音声再生する音声再生部２、音声再生部２から出力された音声信号を増幅するアンプ部５と実際に音声・サウンドを出力するスピーカ６、衝撃を検知する衝撃検知センサー１１、人が接近したことを検知する人感センサー１２で構成される。
【００３５】
なお、本発明に係る音声・サウンド出力装置７の電気信号を検知する入力信号処理部４の入力ラインＳＧ１とＳＧ２は、車両の運転席の開錠・施錠を行うアクチュエーター（ドアロックモーター）２０の両端に接続される。施錠したときにＳＧ１が＋１２Ｖになる。また、開錠したときにＳＧ２が＋１２Ｖになる。
【００３６】
同様にＳＧ３は、ドアの開閉検知スイッチ２１に接続され、ＳＧ３の電気信号を読み取ることで、ドアの開閉状態がわかる。ＳＧ４は、衝撃を検知する衝撃検知センサー１１の異常信号出力線に接続され、ＳＧ４の電気信号を読み取ることで、車両に衝撃が加えられたことがわかる。ＳＧ５は、人が接近したことを検知する人感センサー１２の信号出力線に接続され、ＳＧ５の電気信号を読み取ることで、車両に人が近づいたことがわかる。
【００３７】
なお、本発明に係る音声・サウンド出力装置７には、記憶媒体１０がセットされていないときや記憶媒体１０に記憶されたデータフォーマットが違うときなどに出力する固定メッセージデータを記憶した固定メッセージ記憶部８を設けてもよい。また、本発明に係る音声再生部２は、ＣＰＵ（Central Processing Unit）とプログラムを格納するＲＯＭやプログラムによって使用されるデータを記憶するＲＡＭが内蔵されたマイコンやＤＳＰ（Digital Signal Processor）等を用いることもできる。また、音声などの音のデータはＷＡＶＥ形式やＭＰ３と言ったファイル形式のものを使用し、その再生プレーヤーは広く知られているのでここでの記載は省略する。また、本発明に係る音声・サウンド出力装置７は、スピーカ６を内蔵することもできる。
【００３８】
本発明の第４の実施の形態に係る音声・サウンド出力装置７の処理の流れは、図２の本発明の第１の実施の形態に係る音声・サウンド出力装置７の処理の流れを示すフローチャートと同じである。
車両のアクチュエーター２０に接続されたＳＧ１に電気信号が入力されたとき、車両が施錠されたと判断し、音声・サウンド出力装置７は、図２のフローチャートのステップＳ９で、メッセージ１を出力するが、メッセージ１の音声データに「セキュリティをセットし、ロックしました。」等の音声データを記憶媒体１０に記憶しておくことで、車両使用者は車両を目視確認しなくても確実にセキュリティが監視状態になり、車両をロックしたと認識できる。
【００３９】
同様に車両のアクチュエーター２０に接続されたＳＧ２に電気信号が入力されたとき、車両が開錠されたと判断し、音声・サウンド出力装置７は、図２のフローチャートのステップＳ９で、メッセージ２を出力するが、メッセージ２の音声データに「セキュリティを解除し、アンロックしました。」等の音声データを記憶媒体１０に記憶しておくことで、車両使用者は、車両に付属する開錠・施錠リモコンを間違って開錠操作をした場合、操作ミスに気づくことができる。
【００４０】
また、セキュリティの監視中に、車両のドア開閉信号に接続されたＳＧ３に電気信号が入力されたとき、車両のドアが開かれたと判断し、音声・サウンド出力装置７は、図２のフローチャートのステップＳ９で、メッセージ３を出力するが、メッセージ３の音声データに「警察に通報した。」等の音声データを記憶媒体１０に記憶しておくことで、威嚇効果が増し、防犯効果を向上させることができる。
【００４１】
賊が、車両の窓ガラスを割るなどすると、衝撃検知センサー１１がそれを検知し電気信号を出力すると、音声・サウンド出力装置７は、図２のフローチャートのステップＳ９で、メッセージ４を出力するが、メッセージ４の音声データに「警察に通報した。」等の音声データを記憶媒体１０に記憶しておくことで、威嚇効果が増し、防犯効果を向上させることができる。
【００４２】
また、賊が、車両の周りをうろつくと、人感センサー１２がそれを検知し電気信号を出力すると、同様に音声・サウンド出力装置７は、図２のフローチャートのステップＳ９で、メッセージ５を出力するが、メッセージ５の音声データに「それ以上近づくと通報する。」等の音声データを記憶媒体１０に記憶しておくことで、被害を未然に防ぐことができる。
【００４３】
図６は、本発明の第４の実施の形態に係る音声・サウンド出力装置７を車両に装着したときの実態配線図である。本発明の第４の実施の形態に係る音声・サウンド出力装置７は、音声・サウンド等の音声データ、音楽、効果音データ等を記憶したＳＤカード等の記憶媒体１０をセットする記憶媒体用ソケット部１、記憶媒体１０のデータを読み取る記憶媒体読取部３、外部からの電気信号を検知する入力信号処理部４、入力信号処理部４に入力された電気信号をもとに、記憶媒体１０に記憶された音声・サウンドを記憶媒体読取部３で読み出し、それらを制御し音声再生する音声再生部２、音声再生部２から出力された音声信号を増幅するアンプ部５と実際に音声・サウンドを出力するスピーカ６、衝撃を検知する衝撃検知センサー１１、人が接近したことを検知する人感センサー１２で構成される。
【００４４】
なお、本発明に係る音声・サウンド出力装置７の電気信号を検知する入力信号処理部４の入力ラインＳＧ１とＳＧ２は、車両の運転席の開錠・施錠を行うアクチュエーター（ドアロックモーター）２０の両端に接続される。施錠したときにＳＧ１が＋１２Ｖになる。また、開錠したときにＳＧ２が＋１２Ｖになる。
【００４５】
同様にＳＧ３は、ドアの開閉検知スイッチ２１に接続され、ＳＧ３の電気信号を読み取ることで、ドアの開閉状態がわかる。ＳＧ４は、衝撃を検知する衝撃検知センサー１１の異常信号出力線に接続され、ＳＧ４の電気信号を読み取ることで、車両に衝撃が加えられたことがわかる。ＳＧ５は、人が接近したことを検知する人感センサー１２の信号出力線に接続され、ＳＧ５の電気信号を読み取ることで、車両に人が近づいたことがわかる。
【００４６】
音声・サウンド出力装置７を動作させるために、車両のバッテリー２３の＋側と−側（ボディアース）に接続される。
【産業上の利用可能性】
【００４７】
本発明は、乗用自動車や貨物自動車などの車両に接続し、車両の施錠、開錠、ドアの開閉、エンジンの始動・停止、衝撃検知センサーや人感センサー等の異常検知信号を受け取ったときに、予め、それぞれの信号に対応した音声・サウンドデータを記憶したＳＤカード等の記憶媒体から読み取り、この音声・サウンドをスピーカから出力する用途に用いることができる。これにより、いたずら、窃盗などの犯罪を未然に防止することができる。
【図面の簡単な説明】
【００４８】
【図１】音声・サウンド出力装置の構成図。
【図２】音声・サウンド出力装置のフローチャート。
【図３】防犯用音声・サウンド出力装置の構成図。
【図４】車両用音声・サウンド出力装置の構成図。
【図５】車両防犯用音声・サウンド出力装置の構成図。
【図６】車両防犯用音声・サウンド出力装置の実態配線図。
【符号の説明】
【００４９】
１  音声・サウンド出力装置内の記憶媒体用ソケット部
２  音声・サウンド出力装置内の音声再生部
３  音声・サウンド出力装置内の記憶媒体読取部
４  音声・サウンド出力装置内の入力信号処理部
５  音声・サウンド出力装置内のアンプ部
６  スピーカ
７  音声・サウンド出力装置
８  音声・サウンド出力装置内の固定メッセージ記憶部
１０  記憶媒体
１１  衝撃検知センサー
１２  人感センサー
２０  車両のアクチュエーター（ドアロックモーター）
２１  車両のドアの開閉検知スイッチ
２２  車両のトランクの開閉検知スイッチ
２３  車両のバッテリー
【図１】
2010186102.tif 000003
【図２】
2010186102.tif 000004
【図３】
2010186102.tif 000005
【図４】
2010186102.tif 000006
【図５】
2010186102.tif 000007
【図６】
2010186102.tif 000008